(57)【特許請求の範囲】
【請求項１】
外枠と、
前記外枠に開閉可能に設けられた前面扉と、
前記前面扉を閉鎖状態にロックするロック状態および前記前面扉のロックを解除するアンロック状態相互間で切換えられる第１のロック機構と、
前記前面扉に設けられ、前記第１のロック機構のロック状態で遊技者側である前方から第１の鍵によって操作されることで前記第１のロック機構をロック状態からアンロック状態に切換える第１の錠機構と、
前記前面扉に設けられ、前記第１の錠機構を前記前面扉の閉鎖状態で前方から前記第１の鍵によって操作できないように覆う閉鎖状態および前記第１の錠機構を前記前面扉の閉鎖状態で前方から前記第１の鍵によって操作できるように開放する開放状態相互間で軸を中心に回動可能な鍵扉と、
前記前面扉に設けられ、切欠部を有するロックプレートと、
前記鍵扉に設けられ、前記鍵扉の閉鎖状態で前方から前記第１の鍵とは異なる第２の鍵が挿入される鍵穴を有するシリンダケースと、
前記シリンダケースの内部に設けられ、前後方向へ指向する軸を中心に回転可能なものであって前記第２の鍵が前記シリンダケースの鍵穴を通して挿入されるロータと、
前記ロータの内部に設けられ、前記第２の鍵が前記シリンダケースの鍵穴を通して前記ロータの内部に挿入された状態で回転操作された場合に前記第２の鍵に係合することで前記ロータを前記第２の鍵の操作力で前記ロータの軸を中心に回転操作するタンブラと、
前記ロータに設けられ、前記鍵扉の閉鎖状態では前記ロータの回転方向の位置に応じて前記ロックプレートに後方から対向する第１の状態および前記切欠部に後方から対向する第２の状態のいずれかになるロック片と、
前方から視覚的に認識することが可能なものであって、光が投射されることで発光するランプカバーと、
前記鍵扉の閉鎖状態および前記鍵扉の開放状態相互間で電気的な状態が変化する扉センサと、
前記扉センサの電気的な状態に応じて前記鍵扉が開放状態にされているか否かを判断するものであって、前記鍵扉が開放状態にされていると判断した場合に扉開放信号を出力するメイン制御装置と、
前記メイン制御装置から扉開放信号が出力された場合に前記ランプカバーに光を投射することで前記ランプカバーを発光させるＬＥＤを備え、
前記ロック片が前記鍵扉の閉鎖状態で前記第１の状態に操作されている場合には、前記ロック片が前記ロックプレートに後方から係合することで前記鍵扉が閉鎖状態にロックされ、
前記ロック片が前記鍵扉の閉鎖状態で前記第２の状態に操作されている場合には、前記鍵扉が閉鎖状態から開放状態に向けて操作されることで前記ロック片が前記切欠部を通して前記ロックプレートの前方に抜取られることで前記鍵扉が開放状態になることを特徴とする遊技機。
【発明の詳細な説明】
【０００１】
【発明の属する技術分野】
本発明は、前面扉を開放するための鍵機構を備えた遊技機に関する。
【０００２】
【従来の技術】
図８はパチンコ機の従来構成を示している。ここで、外枠１は前後面が開口する角筒状をなすものであり、外枠１の前面には前面扉２が左側辺部を中心に回動可能に装着されている。この前面扉２と外枠１との間にはロック機構が装着されており、ロック機構は前面扉２を外枠１の前面を閉鎖した閉鎖状態にロックしている。
【０００３】
【発明が解決しようとする課題】
上記構成の場合、前面扉２に枠鍵３が装着されており、枠鍵３に鍵を挿入して解錠操作すると、ロック機構がロック状態からアンロック状態に切換わることに基づいて前面扉２が開放される。この前面扉２の後面側にはパチンコ球の払出し処理を行う賞球制御装置および大当りの判定処理を行うメイン制御装置等が装着されているので、前面扉２が不正に開放されると、賞球制御装置やメイン制御装置の処理内容が改竄される虞れがある。
【０００４】
本発明は上記事情に鑑みてなされたものであり、その目的は、前面扉の不正開放を防止できるセキュリティ性に優れた遊技機を提供することにある。
【０００５】
【課題を解決するための手段】
請求項１記載の遊技機は、外枠と、前記外枠に開閉可能に設けられた前面扉と、前記前面扉を閉鎖状態にロックするロック状態および前記前面扉のロックを解除するアンロック状態相互間で切換えられる第１のロック機構と、前記前面扉に設けられ前記第１のロック機構のロック状態で遊技者側である前方から第１の鍵によって操作されることで前記第１のロック機構をロック状態からアンロック状態に切換える第１の錠機構と、前記前面扉に設けられ前記第１の錠機構を前記前面扉の閉鎖状態で前方から前記第１の鍵によって操作できないように覆う閉鎖状態および前記第１の錠機構を前記前面扉の閉鎖状態で前方から前記第１の鍵によって操作できるように開放する開放状態相互間で軸を中心に回動可能な鍵扉と、前記前面扉に設けられ切欠部を有するロックプレートと、前記鍵扉に設けられ前記鍵扉の閉鎖状態で前方から前記第１の鍵とは異なる第２の鍵が挿入される鍵穴を有するシリンダケースと、前記シリンダケースの内部に設けられ前後方向へ指向する軸を中心に回転可能なものであって前記第２の鍵が前記シリンダケースの鍵穴を通して挿入されるロータと、前記ロータの内部に設けられ前記第２の鍵が前記シリンダケースの鍵穴を通して前記ロータの内部に挿入された状態で回転操作された場合に前記第２の鍵に係合することで前記ロータを前記第２の鍵の操作力で前記ロータの軸を中心に回転操作するタンブラと、前記ロータに設けられ前記鍵扉の閉鎖状態では前記ロータの回転方向の位置に応じて前記ロックプレートに後方から対向する第１の状態および前記切欠部に後方から対向する第２の状態のいずれかになるロック片と、前方から視覚的に認識することが可能なものであって光が投射されることで発光するランプカバーと、前記鍵扉の閉鎖状態および前記鍵扉の開放状態相互間で電気的な状態が変化する扉センサと、前記扉センサの電気的な状態に応じて前記鍵扉が開放状態にされているか否かを判断するものであって前記鍵扉が開放状態にされていると判断した場合に扉開放信号を出力するメイン制御装置と、前記メイン制御装置から扉開放信号が出力された場合に前記ランプカバーに光を投射することで前記ランプカバーを発光させるＬＥＤを備え、前記ロック片が前記鍵扉の閉鎖状態で前記第１の状態に操作されている場合には前記ロック片が前記ロックプレートに後方から係合することで前記鍵扉が閉鎖状態にロックされ、前記ロック片が前記鍵扉の閉鎖状態で前記第２の状態に操作されている場合には前記鍵扉が閉鎖状態から開放状態に向けて操作されることで前記ロック片が前記切欠部を通して前記ロックプレートの前方に抜取られることで前記鍵扉が開放状態になるところに特徴を有する。
上記手段によれば、前面扉を開放するには、下記（１）および（２）に示すように、時間的な手間が必要になる。この時間的な手間が前面扉の不正開放に対する抑止力になるので、前面扉が不正開放され難くなる。従って、メイン制御装置の処理内容や賞球制御装置の処理内容が改竄されることが防止されるので、セキュリティ性能が高まる。しかも、第１の鍵と第２の鍵を相違させたので、前面扉を不正開放するのに２種類の合鍵を作成する手間が必要になる。このため、前面扉の不正開放に対する抑止力が一層高まるので、セキュリティ性能が一層向上する。しかも、鍵扉の開放が報知されるので、鍵扉の不正開放を発見し易くなる。このため、鍵扉の不正開放を発見した時点で不正行為者を取締まることができるので、前面扉の不正開放を一層行い難くなり、セキュリティ性能が一層向上する。
（１）シリンダケースの鍵穴内に第２の鍵を挿入して回転操作することでロック片を第２の状態から第１の状態に切換え、鍵扉を開放する。
（２）第１の鍵機構を第１の鍵で操作することに基づいて第１のロック機構をロック状態からアンロックロック状態に切換え、前面扉を開放する。
【００１２】
【発明の実施の形態】
以下、本発明の第１実施例を図１ないし図５に基づいて説明する。遊技場に相当するパチンコホールの台島には複数のパチンコ機が設置されている。これら各パチンコ機は遊技機に相当するものであり、次のように構成されている。
【００１３】
外枠１１は、図４に示すように、前後面が開口する四角筒状をなすものであり、外枠１１の左側部には、図３に示すように、上下端部に位置してヒンジ金具１２が固定されている。これら両ヒンジ金具１２には前面扉１３の両軸１４が回動可能に装着されており、前面扉１３の前面には下端部に位置して下皿１５が固定されている。
【００１４】
前面扉１３の前面には右下部に位置して発射ハンドル１６が回動可能に装着されており、発射ハンドル１６の後方には、図４に示すように、発射モータ１７が装着されている。この発射モータ１７の回転軸には打球機構を介して打球槌（いずれも図示せず）が連結されており、発射ハンドル１６が図３の時計回り方向へ回動操作されると、発射モータ１７に電源が与えられ、打球槌が駆動する。
【００１５】
前面扉１３の前面には、図３に示すように、コ字状の金枠１８が固定されており、金枠１８の下端部には長方形状の皿板１９が左側辺部を中心に回動可能に装着されている。この皿板１９の前面には上皿２０が固定されており、上皿２０内にはパチンコ球（図示せず）が貯溜されている。この上皿２０の後方にはレール（図示せず）が装着されており、上皿２０内のパチンコ球はレールを通して打球槌に供給され、打球槌により叩かれる。
【００１６】
金枠１８には皿板２０の上方に位置して矩形状の窓枠２１が左側辺部を中心に回動可能に装着されており、窓枠２１の内周面には透明なガラス窓（図示せず）が保持されている。また、前面扉１３の後面には額縁状の機構盤（図示せず）が固定されている。この機構盤には遊技盤２２が保持されており、遊技盤２２は窓枠２１のガラス窓により前方から覆われている。
【００１７】
遊技盤２２の前面には外レール２３および内レール２４が固定されており、打球槌により叩かれたパチンコ球は外レール２３および内レール２４間を通して遊技盤２２内の上部に放出される。また、遊技盤２２の前面には複数の障害釘（図示せず）が打込まれており、遊技盤２２内の上部に放出されたパチンコ球は障害釘に当りながら落下する。
【００１８】
遊技盤２２の前面には特別図柄始動口２５が固定されている。この特別図柄始動口２５は上面が開口するポケット状をなすものであり、特別図柄始動口２５内には特別図柄始動センサ２６（図５参照）が装着されている。この特別図柄始動センサ２６は近接スイッチからなるものであり、特別図柄始動口２５内にパチンコ球が入賞することに基づいて特別図柄始動信号（特図始動信号と称する）を出力する。
【００１９】
遊技盤２２の後面には、図４に示すように、正方形状のセンタカバー２７が固定されている。このセンタカバー２７の後面にはメイン基板ボックス２８が固定されており、メイン基板ボックス２８内にはメイン基板２９が収納されている。このメイン基板２９にはメイン制御装置３０（図５参照）が搭載されており、特別図柄始動センサ２６は、図５に示すように、メイン制御装置３０に電気的に接続されている。このメイン制御装置３０はマイクロコンピュータを主体に構成されたものであり、特別図柄始動センサ２６からの特図柄始動信号を検出することに基づいて大当りおよび外れの判定処理，大当り図柄および外れ図柄の設定処理を行う。
【００２０】
遊技盤２２の前面には、図３に示すように、表示用台板３１が固定されており、表示用台板３１には液晶表示器からなる図柄表示装置３２が保持されている。この図柄表示装置３２の後面には、図４に示すように、表示基板ボックス３３が固定されており、表示基板ボックス３３はセンタカバー２７により後方から覆われている。
【００２１】
表示基板ボックス３３内には表示基板３４が収納されており、表示基板３４にはドライブ回路３５および表示制御装置３６（いずれも図５参照）が搭載されている。この表示制御装置３６はマイクロコンピュータを主体に構成されたものであり、ドライブ回路３５を介して図柄表示装置３２に電気的に接続されている。
【００２２】
メイン制御装置３０には表示制御装置３６が電気的に接続されており、メイン制御装置３０は大当り図柄または外れ図柄を設定すると、表示制御装置３６に出力する。すると、表示制御装置３６は図柄表示装置３２に大当り図柄または外れ図柄を表示し、大当りおよび外れの判定結果を遊技者に報知する。
【００２３】
遊技盤２２の前面には、図３に示すように、特別図柄始動口２５の下方に位置して略半円形状の入賞口用台板３７が固定されており、入賞口用台板３７には大入賞口（図示せず）が形成されている。この大入賞口は前面が開口する四角筒状をなすものであり、大入賞口の前面には平板状の扉３８が軸３９を中心に回動可能に装着されている。
【００２４】
扉３８は大入賞口ソレノイド４０（図５参照）のプランジャにクランク機構  （図示せず）を介して機械的に連結されている。この大入賞口ソレノイド４０は入賞口用台板３７の後面に固定されたものであり、大入賞口ソレノイド４０の断電時には扉３８が垂直状態に回動することに基づいて大入賞口を閉鎖し、大入賞口ソレノイド４０の通電時には扉３８が水平状態に回動することに基づいて大入賞口を開放する。
【００２５】
大入賞口ソレノイド４０は、図５に示すように、メイン制御装置３０にドライブ回路４１を介して電気的に接続されている。このドライブ回路４１はメイン基板２９に搭載されたものであり、メイン制御装置３０は大当りの判定時にドライブ回路４１を通して大入賞口ソレノイド４０に励磁電源を設定時間（例えば３０秒）だけ与えることに基づいて大入賞口を設定時間だけ開放する。この開放動作はラウンド動作と称されるものであり、設定回数（例えば１５ラウンド）だけ繰返される（大当り動作）。
【００２６】
メイン制御装置３０には近接スイッチからなる大入賞口センサ４２が電気的に接続されている。この大入賞口センサ４２は入賞口用台板３７の大入賞口内に固定されたものであり、大入賞口内にパチンコ球が入球したことを検出してメイン制御装置３０に入賞信号を出力する。
【００２７】
前面扉１３の後面には、図４に示すように、メインセット４３が前面扉１３と同一の側辺部を中心に回動可能に装着されている。このメインセット４３はセンタカバー２７を囲う矩形枠状をなすものであり、メインセット４３の後面には賞球基板ボックス４４が固定されている。この賞球基板ボックス４４内には賞球基板４５が収納されており、賞球基板４５にはマイクロコンピュータを主体に構成された賞球制御装置４６（図５参照）が搭載されている。
【００２８】
賞球制御装置４６は、図５に示すように、メイン制御装置３０に電気的に接続されており、メイン制御装置３０は特別図柄始動センサ２６からの特図始動信号または大入賞口センサ４２からの入賞信号を検出すると、賞球制御装置４６にパチンコ球の払出し信号を出力する。
【００２９】
メインセット４３の後面には、図４に示すように、上端部に位置して球タンク４７が固定されており、球タンク４７内にはパチンコ球が貯溜されている。また、メインセット４３の後面には傾斜樋状のタンクレール４８および球払出しケース４９が固定されている。この球払出しケース４９はタンクレール４８を介して球タンク４７内に繋がっており、球払出しケース４９内には球タンク４７からタンクレール４８を通してパチンコ球が供給される。
【００３０】
球払出しケース４９内には球払出し機構が収納されている。この球払出し機構はパルスモータからなる球払出しモータ５０を駆動源とするものであり、球払出しモータ５０の回転軸が単位量回転する毎に球払出しケース４９内から下方へ単位個数のパチンコ球が払出される。
【００３１】
球払出しモータ５０は、図５に示すように、賞球制御装置４６にドライブ回路５１を介して電気的に接続されている。このドライブ回路５１は賞球基板４５に搭載されたものであり、賞球制御装置４６はメイン制御装置３０からの払出し信号を検出すると、球払出しモータ５０を駆動することに基づいて球払出しケース４９内からパチンコ球を払出す。
【００３２】
メインセット４３には、図４に示すように、上皿球通路５２が設けられている。この上皿球通路５２は球払出しケース４９と上皿２０とを繋ぐものであり、球払出しケース４９内から放出されたパチンコ球は上皿球通路５２を通して上皿２０内に供給される。また、メインセット４３には下皿通路５３が設けられている。この下皿通路５３は上皿２０と下皿１５とを繋ぐものであり、上皿２０内から溢れたパチンコ球は下皿通路５３を通して下皿１５内に零れ落ちる。
【００３３】
前面扉１３の前面には、図３に示すように、有色透明なランプカバー５４が固定されている。このランプカバー５４は後面が開口する容器状をなすものであり、ランプカバー５４の後面には、図４に示すように、細長な２枚のランプ基板５５が固定され、ランプ基板５５の前面には、図３に示すように、ランプカバー５４内に位置して複数のランプ５５およびＬＥＤ５６が搭載されている。
【００３４】
センタカバー２７内には、図４に示すように、ランプ基板ボックス５７が固定されている。このランプ基板ボックス５７内にはランプ制御基板５８が収納されており、ランプ制御基板５８にはドライブ回路５９およびランプ制御装置６０  （いずれも図５参照）が搭載されている。このランプ制御装置６０はマイクロコンピュータを主体に構成されたものであり、図５に示すように、ドライブ回路５９を介して複数のランプ５５およびＬＥＤ５６に電気的に接続されている。
【００３５】
メイン制御装置３０にはランプ制御装置６０が電気的に接続されており、メイン制御装置３０は遊技の進行状況に応じた制御指令を設定し、ランプ制御装置６０に出力する。このランプ制御装置６０のＲＯＭには複数のイルミネーションデータが記録されており、ランプ制御装置６０は制御指令に応じたイルミネーションデータを選択する。そして、複数のランプ５５およびＬＥＤ５６をイルミネーションデータに基づいて発光制御し、ランプカバー５４を電飾する。尚、図３の符号６１はランプカバー５４と複数のランプ５５と複数のＬＥＤ５６とを有するランプ装置を示している。
【００３６】
外枠１１と前面扉１３との間には、図２に示すように、第１のロック機構６２が装着されている。このロック機構６２は前面扉１３を外枠１１にロックし、窓枠２１を前面扉１３にロックするものであり、次のように構成されている。
【００３７】
＜第１のロック機構６２について＞
前面扉１３の後面には、図２に示すように、右側部に位置してロックベース６３の前板６４が固定されている。このロックベース６３は前板６４および側板６５を有するＬ字状をなすものであり、側板６５の上下端部にはガイドピン６６が固定され、両ガイドピン６６にはロックプレート６７の両長孔６８が上下方向へスライド可能に係合されている。このロックプレート６７とロックベース６３との間にはスプリング（図示せず）が介在されており、ロックプレート６７はスプリング力で上方へスライドしたロック状態に保持されている。
【００３８】
ロックプレート６７の上下方向中央部には切欠状の操作部６９が形成されている。また、ロックプレート６７の上下端部には後方へ突出する三角形状のフック７０が形成されており、各フック７０にはプレート７１が係合している。これら各プレート７１は外枠１１に固定されたものであり、前面扉１３は両フック７０および両プレート７１間の係合力で外枠１１の前端面に密着した閉鎖状態にロックされている。
【００３９】
窓枠２１の内周面には右側部に位置して２本のガイドピン７２が固定されており、両ガイドピン７２にはロックプレート７３の長孔７４が上下方向へスライド可能に係合されている。このロックプレート７３と窓枠２１との間にはスプリング（図示せず）が介在されており、ロックプレート７３はスプリング力で上方へスライドしたロック状態に保持されている。
【００４０】
ロックプレート７３には後方へ突出する三角形状のフック７５が形成されており、フック７５は前面扉１３の貫通孔７６を通してロック孔７７の上縁部に係合している。このロック孔７７はロックベース６３の前板６４に形成されたものであり、窓枠２１はフック７５とロック孔７７との間の係合力で金枠１８に密着した閉鎖状態にロックされている。第１のロック機構６２は以上のように構成されている。
【００４１】
前面扉１３には、図１に示すように、第１の鍵機構７８が装着されている。この第１の鍵機構７８は外枠１１と前面扉１３とのロックを解除し、前面扉１３と窓枠２１とのロックを解除するものであり、次のように構成されている。
【００４２】
＜第１の鍵機構７８について＞
前面扉１３の右側辺部には、図１の（ｂ）に示すように、前面が開口する凹部７９が形成されており、凹部７９の後方にはタンブラ式のシリンダ錠８０が装着されている。このシリンダ錠８０は円筒状のシリンダケース内に円柱状のロータを収納してなるものであり、ロータには複数のタンブラが保持されている。これら複数のタンブラはシリンダケースに係合しており、ロータはタンブラおよびシリンダケース間の係合力で回転不能に保持されている。
【００４３】
シリンダ錠８０のロータには、図１の（ａ）に示すように、鍵穴８１が形成されており、鍵穴８１内には鍵（図示せず）が挿入される。この鍵は短手方向の両側部に凹凸部が形成されたものであり、鍵の挿入時には凹凸部が複数のタンブラを径方向へ押圧移動させることに基づいて複数のタンブラとシリンダケースとの係合を解除する。尚、第１の鍵機構７８は複数のパチンコ機に共通のものであり、第１の鍵機構７８用の鍵も複数のパチンコ機に共通のものである。
【００４４】
シリンダ錠８０のロータには、図１の（ｂ）に示すように、後端部に位置してカム８２が連結されており、鍵の回動操作時にはカム８２がロータと一体的に回動することに基づいて第１のロック機構６２が下記▲１▼および▲２▼の挙動を呈する。
▲１▼鍵の時計回り方向への操作時にはカム８２がロックプレート６７の切欠状の操作部６９内に係合し、ロックプレート６７がスプリング力に抗して下降する。すると、ロックプレート６７の両フック７０が外枠１１の両プレート７１から外れ、前面扉１３と外枠１１とのロックが解除される。この状態で前面扉１３を前方へ引張ると、前面扉１３が前方へ回動することに基づいて外枠１１の前面が開放される。
【００４５】
▲２▼鍵の反時計回り方向への操作時にはカム８２がロックプレート７３のフック７５に係合し、ロックプレート７３がスプリング力に抗して下降する。すると、ロックプレート７３のフック７５が前面扉１３のロック孔７７の上縁部から外れ、窓枠２１と前面扉１３とのロックが解除される。この状態で窓枠２１を前方へ引張ると、窓枠２１がガラス窓と共に前方へ回動することに基づいて遊技盤２２が開放される。
【００４６】
尚、開放状態の前面扉１３を後方へ押圧すると、ロックプレート６７の両フック７０が外枠１１の両プレート７１により押圧され、ロックプレート６７がスプリング力に抗して下降する。この後、両フック７０が両プレート７１を通り越すと、ロックプレート６７がスプリング力で上昇することに基づいて両フック７０が両プレート７１に係合し、前面扉１３が閉鎖状態にロックされる。
【００４７】
また、開放状態の窓枠２１を後方へ押圧すると、ロックプレート７３のフック７５が前面扉１３のロックベース６３により押圧され、ロックプレート７３がスプリング力に抗して下降する。この後、フック７５がロックベース６３を通り越すと、ロックプレート７３がスプリング力で上昇することに基づいてフック７５がロックベース６３のロック孔７７内に係合し、窓枠２１が閉鎖状態にロックされる。第１の鍵機構７８は以上のように構成されている。
【００４８】
前面扉１３には、図１の（ｂ）に示すように、凹部７９内に位置して凹部８３が形成されている。この凹部８３内にはロックプレート８４が固定されており、ロックプレート８４には切欠部８５が形成されている。また、前面扉１３の凹部７９内には鍵扉８６が収納されており、前面扉１３用の鍵穴８１は鍵扉８６により前方から塞がれている。この鍵扉８６の下端部には、図１の（ａ）に示すように、前面扉１３の右側面から軸８７が挿入されており、鍵扉８６は軸８７を中心に回動操作されることに基づいて鍵穴８１を開閉する。
【００４９】
前面扉１３の上端部にはレバータンブラー式の鍵装置８８が装着されている。この鍵装置８８は鍵扉８６を閉鎖状態にロックする第２のロック機構および第２のロック機構をロック状態からアンロック状態に切換える第２の鍵機構を兼用するものであり、次のように構成されている。
【００５０】
＜鍵装置８８について＞
鍵扉８６には、図１の（ｂ）に示すように、円筒状のシリンダケース８９が固定されている。このシリンダケース８９内には円筒状のロータ９０が回転可能に収納されており、ロータ９０の後端部にはＬ字状のロック片９１が連結されている。このロック片９１は前面扉１３のロックプレート８４に係合しており、鍵扉８６はロック片９１およびロックプレート８４間の係合力で閉鎖状態にロックされている。
【００５１】
シリンダケース８９の前端部には、図１の（ａ）に示すように、鍵穴９２が形成されており、鍵穴９２内には、図１の（ｂ）に示すように、鍵Ｋが挿入される。この鍵Ｋは突部Ｋ1 を有するものであり、鍵Ｋの挿入時には突部Ｋ1 がランブラ９３に係合する。このタンブラ９３はロータ９０の内周面に形成されたものであり、鍵Ｋの回動操作時にはロータ９０が鍵Ｋと共に回動することに基づいてロータ９０のロック片９１がロックプレート８４の切欠部８５に対向する。この状態ではロック片９１とロックプレート８４との係合が解除され、鍵扉８６が鍵装置８８等の荷重で水平状態に回動することに基づいて別の鍵穴８１を開放する。
【００５２】
尚、開放状態の鍵扉８６を起立状態に回動操作すると、ロック片９１がロックプレート８４の切欠部８５を通して凹部８３内に挿入される。この状態で鍵Ｋを回動操作すると、ロック片９１が回動することに基づいてロックプレート８４に係合し、鍵扉８６が閉鎖状態にロックされる。また、鍵装置８８は複数のパチンコ機に共通のものであり、鍵装置８８用の鍵Ｋも複数のパチンコ機に共通のものである。鍵装置８８は以上のように構成されている。
【００５３】
上記第１実施例によれば、第１の鍵機構７８を開閉する鍵扉８６と、鍵扉８６を施解錠する鍵装置８８とを設けたので、前面扉１３を開放する場合に鍵扉８６を解錠した後に前面扉１３を解錠する時間的な手間が必要になる。この時間的な手間が前面扉１３の不正開放に対する抑止力になるので、前面扉１３が不正開放され難くなる。従って、メイン制御装置３０の処理内容や賞球制御装置４６の処理内容が改竄されることが防止されるので、セキュリティ性能が高まる。
【００５４】
また、第１の鍵機構７８の鍵と鍵装置８８の鍵Ｋとを相違させたので、前面扉１３を不正開放するのに２種類の合鍵を作成する手間が必要になる。このため、前面扉１３の不正開放に対する抑止力が一層高まるので、セキュリティ性能が一層向上する。
【００５５】
また、鍵扉８６の下端部を前面扉１３に回動可能に設け、鍵装置８８を鍵扉８６の上端部に設けたので、鍵扉８６が鍵装置８８等の荷重で傾倒した開放状態に保持されるようになる。このため、第１の鍵機構７８の解錠時に鍵扉８６を開放状態に支える手間が不要になるので、パチンコホールの店員が球詰まり等のトラブルを解消するにあたって前面扉１３を開放する場合に操作が容易になる。
【００５６】
次に本発明の第２実施例を図６に基づいて説明する。前面扉１３には凹部７９の後方に位置して扉スイッチ９４が固定されている。この扉スイッチ９４は扉センサに相当するものであり、鍵扉８６の閉鎖時には鍵扉８６が扉スイッチ９４のプランジャ９５を扉スイッチ９４内に押込み、扉スイッチ９４がオン状態に保持される。また、鍵扉８６の開放時には鍵扉８６から扉スイッチ９４のプランジャ９５に作用していた押圧力が消滅し、プランジャ９５が突出することに基づいて扉スイッチ９４がオフ状態に切換わる。
【００５７】
扉スイッチ９４はメイン制御装置３０に電気的に接続されており、メイン制御装置３０は扉スイッチ９４のオフを検出すると、ランプ制御装置６０に扉開放信号を出力する。すると、ランプ制御装置６０は複数のランプ５５および複数のＬＥＤ５６を継続的に点灯させ、ランプカバー５４を発光状態に保持することに基づいて鍵扉８６の開放を報知する。尚、ランプ装置６１は鍵扉８６の開放を報知する報知手段として機能するものである。
【００５８】
上記第２実施例によれば、鍵扉８６が開放されたことを報知したので、鍵扉８６の不正開放を発見し易くなる。このため、鍵扉８６の不正開放を発見した時点で不正行為者を取締まることができるので、前面扉１３の不正開放を一層行い難くなり、セキュリティ性能が一層向上する。
【００５９】
尚、上記第２実施例においては、扉センサとして接触型の扉スイッチ９４を用いたが、これに限定されるものではなく、例えば光電スイッチ等の非接触型スイッチを用いても良い。
また、上記第２実施例においては、鍵扉８６の開放を報知する報知手段としてランプ装置６１を用いたが、これに限定されるものではなく、例えばホール管理コンピュータを用いても良い。このホール管理コンピュータは図柄変動回数や大当り回数を集計・管理するものであり、扉スイッチ９４をホール管理コンピュータに電気的に接続し、扉スイッチ９４がオフ状態に切換わることに基づいてホール管理コンピュータのディスプレイに鍵扉８６の開放を表示すると良い。
【００６０】
次に本発明の第３実施例を図７に基づいて説明する。前面扉１３には鍵扉８６の上端部が軸８７を中心に回動可能に装着されており、鍵扉８６の下端部には鍵装置８８が装着されている。
【００６１】
上記第３実施例によれば、鍵扉８６を開放状態に保持する場合に鍵扉８６を鍵装置８８等の荷重に抗して支える必要が生じるので、鍵を鍵穴８１内に挿入して回動操作する作業を行い難くなる。このため、前面扉１３の開放に時間を要するようになるので、前面扉１３の不正開放を一層行い難くなり、セキュリティ性能が一層高まる。
【００６２】
尚、上記第１ないし第３実施例においては、前面扉１３を解錠する第１の鍵機構として径方向へ移動可能な複数のタンブラを有するシリンダ錠８０を用い、鍵扉８６を解錠する第２の鍵機構として周方向へ移動可能なタンブラを有するレバータンブラ錠を用いたが、これに限定されるものではなく、例えば下記第４実施例のように構成しても良い。
【００６３】
＜第４実施例について＞
鍵扉８６用の鍵装置８８に換えてシリンダ錠８０を用い、各シリンダ錠８０のタンブラ構成を台毎に相違させる。そして、鍵の凹凸形状を台毎に相違させ、各台に専用の鍵を設ける。この場合、シリンダ錠８０用の合鍵が不正に作成されても合鍵の適用台が分り難くなるので、鍵扉８６を不正に解錠し難くなり、セキュリティ性能が向上する。従って、前面扉１３にレバータンブラ式の鍵装置８８を用いて鍵装置８８の鍵を複数の台間で共有化したり、ボタンを棒で押圧操作する程度の鍵装置を用いて棒状の鍵を複数の台間で共有化できるので、前面扉１３を解錠するための第１の鍵機構および第１の鍵機構を操作するための鍵が簡単で済む。
【００６４】
また、上記第４実施例においては、鍵扉８６を解錠するための鍵を台毎に相違させたが、これに限定されるものではなく、例えば１０台程度のパチンコ機に対して４種類程度の鍵を設け、一のパチンコ機と別のパチンコ機との間で鍵を相違させても良い。この構成の場合にも合鍵の適用台が分り難くなるので、鍵扉８６を不正に解錠し難くなり、セキュリティ性能が向上する。このため、前面扉１３を解錠するための鍵を台間で共有化できるので、前面扉１３を解錠するための第１の鍵機構および第１の鍵機構を操作するための鍵が簡単で済む。
【００６５】
また、上記第１ないし第３実施例においては、第１の鍵機構７８の鍵と鍵装置８８の鍵Ｋとを相違させたが、これに限定されるものではなく、例えば第１の鍵機構７８と鍵装置８８とを同一の鍵で解錠する構成にしても良い。
また、上記第１ないし第３実施例においては、鍵扉８６の施錠・解錠を共通の鍵装置８８により行ったが、これに限定されるものではなく、例えば鍵扉８６を閉鎖状態にロックするロック機構とロック機構をロック状態からアンロック状態に切換える鍵機構とを別々に設けても良い。
【００６６】
また、上記第１ないし第３実施例においては、図柄表示装置３２に大当り図柄が表示されることに基づいて大当りが発生する１種のパチンコ機に本発明を適用したが、これに限定されるものではなく、例えば２種のパチンコ機または３種のパチンコ機に適用しても良い。２種のパチンコ機はパチンコ球が始動口内に入賞することに基づいて中央役物が開放されるものであり、中央役物の開放時にパチンコ球が中央役物のＶゾーン内に入賞することに基づいて大当りが発生する。３種のパチンコ機は図柄表示装置に大当り図柄が表示されることに基づいて可変入賞口が開放されるものであり、可変入賞口の開放時に可変入賞口内にパチンコ球が入賞することに基づいて大当りが発生する。上記実施例には特許請求の範囲に記載された発明に加えて次の［発明１］〜［発明７］が記載されている。
［発明１］
外枠と、前記外枠に開閉可能に設けられた前面扉と、前記前面扉を閉鎖状態にロックする第１のロック機構と、前記前面扉に設けられ前記第１のロック機構をロック状態からアンロック状態に切換える第１の鍵機構と、前記前面扉に設けられ前記第１の鍵機構を開閉する鍵扉と、前記鍵扉を閉鎖状態にロックする第２のロック機構と、前記第２のロック機構をロック状態からアンロック状態に切換える第２の鍵機構とを備えたことを特徴とする遊技機。この発明１によれば、前面扉を開放するには、下記（１）および（２）に示すように、時間的な手間が必要になる。この時間的な手間が前面扉の不正開放に対する抑止力になるので、前面扉が不正開放され難くなる。従って、メイン制御装置の処理内容や賞球制御装置の処理内容が改竄されることが防止されるので、セキュリティ性能が高まる。
（１）第２の鍵機構を鍵で操作することに基づいて第２のロック機構をロック状態からアンロック状態に切換え、鍵扉を開放する。
（２）第１の鍵機構を鍵で操作することに基づいて第１のロック機構をロック状態からアンロックロック状態に切換え、前面扉を開放する。
［発明２］
前記第１の鍵機構および前記第２の鍵機構は異なる鍵を用いて操作されるものであることを特徴とする発明１に記載の遊技機。この発明２によれば、第１の鍵機構の鍵と第２の鍵機構の鍵とを相違させたので、前面扉を不正開放するのに２種類の合鍵を作成する手間が必要になる。このため、前面扉の不正開放に対する抑止力が一層高まるので、セキュリティ性能が一層向上する。
［発明３］
前記鍵扉の開放を検出する扉センサと、前記扉センサが前記鍵扉の開放を検出したことを報知する報知手段とを備えたことを特徴とする発明１または２に記載の遊技機。この発明３によれば、鍵扉の開放が報知されるので、鍵扉の不正開放を発見し易くなる。このため、鍵扉の不正開放を発見した時点で不正行為者を取締まることができるので、前面扉の不正開放を一層行い難くなり、セキュリティ性能が一層向上する。
［発明４］
前記鍵扉は前記前面扉に下端部を中心に回動可能に設けられ、前記第２の鍵機構は前記鍵扉の上端部に設けられていることを特徴とする発明１ないし３のいずれかに記載の遊技機。この発明４によれば、鍵扉が第２の鍵機構の荷重で傾倒した開放状態に保持されるようになる。このため、第１の鍵機構の解錠時に鍵扉を開放状態に支える手間が不要になるので、パチンコホールの店員が球詰まり等のトラブルを解消するにあたって前面扉を開放する場合に操作が容易になる。
［発明５］
前記鍵扉は前記前面扉に上端部を中心に回動可能に設けられ、前記第２の鍵機構は前記鍵扉の下端部に設けられていることを特徴とする発明１ないし３のいずれかに記載の遊技機。この発明５によれば、鍵扉を開放状態に保持する場合に鍵扉を第２の鍵機構の荷重に抗して支える必要が生じるので、第１の鍵機構の解錠作業を行い難くなる。このため、前面扉の開放に時間を要するようになるので、前面扉の不正開放を一層行い難くなり、セキュリティ性能が一層高まる。
［発明６］
発明１ないし５のいずれかに記載の遊技機を複数台配設してなる遊技場用の遊技システムにおいて、前記第２の鍵機構を操作するための鍵が一の遊技機と別の遊技機との間で相違していることを特徴とする遊技システム。この発明６によれば、鍵扉用の鍵が一の遊技機と別の遊技機との間で相違しているので、例え合鍵が不正に作成されても合鍵の適用台が分り難くなる。このため、鍵扉を解錠し難くなるので、セキュリティ性能が向上する。
［発明７］
前記第２の鍵機構を操作するための鍵が遊技機毎に相違していることを特徴とする発明６に記載の遊技システム。この発明７によれば、鍵扉用の鍵が遊技機毎に相違しているので、合鍵の適用台が一層分り難くなる。このため、鍵扉の不正な解錠が一層困難になるので、セキュリティ性能が一層向上する。
【００６７】
【発明の効果】
本発明によれば、前面扉の鍵機構を覆う鍵扉を設け、鍵扉を施錠および解錠するようにしたので、前面扉を開放する場合に鍵扉を解錠する余分な手間が必要になる。このため、前面扉の不正開放に対する抑止力が高まるので、前面扉が不正開放され難くなり、セキュリティ性能が高まる。
【図面の簡単な説明】
【図１】本発明の第１実施例を示す図（ａは鍵扉付近を示す前面図、ｂはＸ線に沿う断面図）
【図２】第１のロック機構を示す図（ａは後面図、ｂはＸ線に沿う断面図）
【図３】全体構成を示す前面図
【図４】全体構成を示す後面図
【図５】電気的構成を示すブロック図
【図６】本発明の第２実施例を示す図１相当図
【図７】本発明の第３実施例を示す図１の（ａ）相当図
【図８】従来例を示す図
【符号の説明】
１１は外枠、１３は前面扉、６１はランプ装置（報知手段）、６２は第１のロック機構、７８は第１の鍵機構、８６は鍵扉、８８は鍵装置（第２のロック機構，第２の鍵機構）、９４は扉スイッチ（扉センサ）を示す。
【図１】
0004517134.tif 000002
【図２】
0004517134.tif 000003
【図３】
0004517134.tif 000004
【図４】
0004517134.tif 000005
【図５】
0004517134.tif 000006
【図６】
0004517134.tif 000007
【図７】
0004517134.tif 000008
【図８】
0004517134.tif 000009